(57)【要約】【目的】ＡＤＳＬモデムのデータ通信速度の高速化を目的とする。【構成】トランスＴとスイッチＳＷから構成され、トランスＴはＡＤＳＬモデム側につながる一次巻線Ｎ１とＰＯＴＳスプリッタ側につながる複数に分岐された二次巻線Ｎ２とからなり、スイッチＳＷによりトランスＴの特性を可変させて、ＡＤＳＬモデムとＰＯＴＳスプリッタを含む電話回線とのインピーダンス不平衡を低減させる。【選択図】　　　　図１
2004112552.tif 000002
【特許請求の範囲】
【請求項１】
ＡＤＳＬモデムとＰＯＴＳスプリッタをつなぐデータ信号搬送ライン上に位置する回路であって、該回路の構成は一次巻線と複数分岐された二次巻線とからなるトランスと、前記二次巻線の分岐箇所との接続を切り替えるスイッチを具備することを特徴とするＡＤＳＬモデム用マッチング回路。
【請求項２】
一次巻線はＡＤＳＬモデム側、二次巻線はＰＯＴＳスプリッタ側にそれぞれ接続するトランスであって、一次巻線は固定、二次巻線はスイッチにより複数分岐された巻線を切り替えて、前記トランスの変成比を可変することを特徴とする請求項１記載のＡＤＳＬモデム用マッチング回路。
【請求項３】
請求項１または請求項２記載のＡＤＳＬモデム用マッチング回路を用いたことを特徴とするＡＤＳＬモデム用マッチング装置。
【発明の詳細な説明】
【０００１】
【発明の属する技術分野】
本発明は、ブロードバンド（広帯域通信網）技術のひとつであるＡＤＳＬ（Ａｓｙｍｍｅｔｒｉｃ　Ｄｉｇｉｔａｌ　Ｓｕｂｓｃｒｉｂｅｒ　Ｌｉｎｅ）のデータ通信速度の高速化技術に関するものであり、特にＡＤＳＬ用モデムのデータ通信速度を向上させるものである。
【０００２】
【従来の技術】
インターネットに代表されるデータ通信は、ＡＤＳＬ，ＶＤＳＬ（Ｖｅｒｙ　ｈｉｇｈ　ｓｐｅｅｄ　ｂｉｔ　ｒａｔｅ　Ｄｉｇｉｔａｌ　Ｓｕｂｓｃｒｉｂｅｒ　Ｌｉｎｅ），光ケーブル等の有線タイプのブロードバンドにより、その通信速度は飛躍的に進化している。特にＡＤＳＬは、既設のアナログ電話回線網（メタル回線網）を利用できることで、新たな通信回線網の整備が必要なく、ＡＤＳＬサービスを爆発的に普及させた原因のひとつである。
【０００３】
ＡＤＳＬは、データ信号の使用周波数帯域を３０ｋＨｚ〜とし、音声信号の使用周波数帯域（〜４ｋＨｚ）と分離された周波数帯域であるため、データ信号と音声信号を同時に受送信できる通信技術である。このＡＤＳＬサービスの加入者宅（一般家庭）におけるシステム動作は、電話回線により搬送されたデータ信号及び音声信号は、加入者宅に設置されたＰＯＴＳ（Ｐｌａｉｎ　Ｏｌｄ　Ｔｅｌｅｐｈｏｎｅ　Ｓｅｒｖｉｃｅ）スプリッタにより、データ信号と音声信号に分離され、データ信号は専用モデムからパーソナルコンピュータ、音声信号は電話機，ファックス等につながる。加入者宅からの送信の場合は、前記ＰＯＴＳスプリッタにより、データ信号と音声信号が混合され電話回線に搬送される。なお、ＡＤＳＬサービスの提供源である電話局には、前記加入者宅でおこなわれるシステムが大規模におこなわれている。
【０００４】
ＡＤＳＬにおけるデータ通信速度は、ＡＤＳＬ加入者とＡＤＳＬサービスを提供している電話局（アクセスポイント）からの距離に依存しており、電話局との電話回線距離が近いほどＡＤＳＬモデムの接続性（リンク）が良好で、通信速度も大変速い。
【０００５】
データの通信速度を向上させる方法としては、特開２００２−２５２６７０に、ＡＤＳＬモデムあるいはパーソナルコンピュータを含めた装置一式を再起動させることで、ＡＤＳＬ提供電話回線とのリンク速度（データ通信速度）を最良に保つことの記載がなされている。また、特開平１１−３０８３５２は、電話未通話時に音声信号が使用する周波数帯域をデータ信号の使用周波数帯域に加えることでデータ信号の高速化を実現する通信システムである。また、特開２００１−６１００６には、データ信号の電話機への漏れを抑制することにより、データ信号の品質を低下させないことが記載されている。
【０００６】
【発明が解決しようとする課題】
しかし、上記の従来技術では、以下の問題がする。
特開２００２−２５２６７０では、ＡＤＳＬモデムの再リンク（再接続）が適時必要であり、そのためにデータ通信が中断し、作業効率を低下させるものであり、しかも常時接続に適すものではなかった。また、特開平１１−３０８３５２は、電話が通話中の場合、その効果を発揮するができない。また、特開２００１−６１００６は、スプリッタレスＡＤＳＬにおけるローパスフィルタに関するものであり、電話回線口を複数設けたことによるデータ通信速度の低下を改善したものであり、データ通信速度の高速化には使用できない。
【０００７】
本発明は、上記従来技術の問題点を解決すべく、ＡＤＳＬモデムからＡＤＳＬサービスを検証し、ＡＤＳＬモデムを最適環境下で動作させることで、ＡＤＳＬにおけるデータ通信速度の高速化を目的とした。
【０００８】
【課題を解決するための手段】
本発明は、ＡＤＳＬモデムとＰＯＴＳスプリッタをつなぐデータ信号搬送ライン上に位置する回路であって、該回路の構成は一次巻線と複数分岐された二次巻線とからなるトランスと、前記二次巻線の分岐箇所との接続を切り替えるスイッチを具備するＡＤＳＬモデム用マッチング回路により、ＡＤＳＬモデムの環境下を最適化してデータの通信速度を高速化させる。
【０００９】
また本発明は、トランスの一次巻線はＡＤＳＬモデム側、二次巻線はＰＯＴＳスプリッタ側にそれぞれ接続し、一次巻線は固定、二次巻線はスイッチにより複数分岐された巻線を切り替えて、前記トランスの特性を可変するＡＤＳＬモデム用マッチング回路によって、電話回線個々の環境に対応したＡＤＳＬモデム最適環境下を与え、ＡＤＳＬモデムのデータ通信速度の高速化を実現させる。
【００１０】
さらに、上記ＡＤＳＬモデム用マッチング回路を装置とすることにより、既設のＡＤＳＬモデル及びＰＯＴＳスプリッタ間に接続設置して使用することにより、従来よりも高速なデータ通信速度を得ることができる。
【００１１】
【発明の実施の形態】
図を用いて本発明の実施形態を説明する。
本発明は図１に示すトランスＴとスイッチＳＷから構成され、トランスＴはＡＤＳＬモデム側につながる一次巻線Ｎ１とＰＯＴＳスプリッタ側につながる複数に分岐された二次巻線Ｎ２とからなり、前記スイッチＳＷにより二次巻線Ｎ２の分岐を切り替えることにより、トランスＴの変成比を可変する。
【００１２】
図２は、ＡＤＳＬ受送信の加入者宅内におけるシステム（使用装置）を簡略表示したものである。ＡＤＳＬサービスを提供する電話局につながる電話回線７０より送信されるＡＤＳＬ信号（データ信号＋音声信号）は、ＰＯＴＳスプリッタ３０により、音声信号は電話機６０、データ信号は本発明の図１に示すマッチング回路からなるマッチング装置１０を通過し、ＡＤＳＬモデム２０へ、そしてパーソナルコンピュータ５０にデータが取り込まれる。本発明のマッチング装置１０は、データ信号搬送ライン４０上に位置し、ＡＤＳＬモデム２０と、ＰＯＴＳスプリッタ３０を含めた電話回線７０とのインピーダンス不平衡を解消して、ＡＤＳＬモデム２０のデータ通信速度の高速化を可能とする。
【００１３】
図３は図２の略回路図である。
ＡＤＳＬモデム４０は、受送信における動作最適条件はインピーダンスが１００Ωと設計されている。このインピーダンス１００Ωは、電話回線７０（電話局交換機）のインピーダンスが１００Ωの設計であり、電話回線線路長を考慮しなければ、インピーダンスは平衡であり、高速のデータ通信をおこなえるようになっている。
【００１４】
しかし、実際にはＡＤＳＬサービス提供の電話局との距離、ＰＯＴＳスプリッタ３０のハイパスフィルタ回路３２等の影響により、ＡＤＳＬモデム２０より電話回線７０を見た場合、インピーダンスが１００Ωとは異なるインピーダンス≠１００Ωであり、そのことによりＡＤＳＬモデム２０と電話回線７０にインピーダンス不平衡が起こり、ＡＤＳＬモデム２０の性能を低下させ、データの受送信速度の低下を招いている。本発明はインピーダンス不平衡を改善するインピーダンスマッチング用のトランスＴを設け、ＡＤＳＬモデム２０が本来有する性能を発揮できる環境を与え、高速のデータ通信を可能とした。
【００１５】
また、ＡＤＳＬ加入者宅から見た電話回線７０のインピーダンスは、ＡＤＳＬ加入者宅毎でその値は異なり、それを解消するために、マッチング装置１０はスイッチＳＷを具備し、トランスＴのインピーダンスマッチング性を可変させ、各々のＡＤＳＬ加入者宅におけるＡＤＳＬモデムの最適通信速度を発揮する環境を与え、データの通信速度を向上させる。
【００１６】
本発明のマッチング装置は、既設のＡＤＳＬモデムとＰＯＴＳスプリッタの間に接続設置することで、ＡＤＳＬモデムの通信速度を高速化させることができる汎用性に優れたものである。また、本発明のマッチング回路は、ＡＤＳＬモデム回路とＰＯＴＳスプリッタのハイパスフィルタ回路との間に組み込めばよく、ＡＤＳＬモデム、ＰＯＴＳスプリッタの各装置、あるいは、パーソナルコンピュータ、ＡＤＳＬモデム、スプリッタからなる複合装置に内蔵してもよい。
【００１７】
【発明の効果】
本発明は、ＡＤＳＬモデムの本来有している性能を発揮させることができる環境を与え、データの通信速度を向上させることができ、さらに、各ＡＤＳＬ加入者宅での環境条件に応じて、最適なデータ通信速度を得ることができる。
【図面の簡単な説明】
【図１】本発明のＡＤＳＬモデム用マッチング回路の回路図。
【図２】本発明のＡＤＳＬモデム用マッチング装置の接続を示す加入者宅における簡略システム図。
【図３】本発明のＡＤＳＬモデム用マッチング装置の接続を示す加入者宅における略回路図。
【符号の説明】
Ｔ　トランス
Ｎ１　一次巻線
Ｎ２　二次巻線
ＳＷ　スイッチ
【図１】
2004112552.tif 000003
【図２】
2004112552.tif 000004
【図３】
2004112552.tif 000005